(57)【特許請求の範囲】
【請求項１】
便器本体と、
該便器本体の後部上面に設けられたロータンクと、
該ロータンクを覆っている浮上可能なロータンクカバーと、
該ロータンクカバーに支持された便座と、該ロータンクに設けられており、引き上げられることにより開弁して該便器本体に洗浄水を給水するフロート弁と、
該ロータンクカバーに設けられた、該フロート弁を引き上げるための回転自在なフラッシュレバーとを有する便器設備において、
該ロータンクカバーの浮上時に該フラッシュレバーと係合して該フラッシュレバーの回転を阻止するストッパを該ロータンクカバーに設けたことを特徴とする便器設備。
【請求項２】
便器本体と、
該便器本体の後部上面に設けられたロータンクと、
該ロータンクを覆っている浮上可能なロータンクカバーと、
該ロータンクカバーに支持された便座と、該ロータンクに設けられており、引き上げられることにより開弁して該便器本体に洗浄水を給水するフロート弁と、
該ロータンクに設けられたボールタップとを有する便器設備において、
該ロータンクカバーの浮上時に該ボールタップの浮玉又はそのシャフトに係合して浮玉の下降を阻止するストッパを該ロータンクカバーに設けたことを特徴とする便器設備。
【発明の詳細な説明】
【０００１】
【発明の属する技術分野】
本発明は、便器設備に係り、特にロータンク及び該ロータンクを覆うロータンクカバーを備えた便器設備に関する。さらに詳しくは、このロータンクカバーを浮上させる機構を備えた便器設備に関する。
【０００２】
【従来の技術】
洋風便器の後部上面に設置されたロータンクから便器の便鉢に便器洗浄水を供給するようにした便器設備において、該ロータンクを覆うロータンクカバーを設けたものがある。このロータンクカバーに便座が俯仰方向に回転自在に取り付けられている。
【０００３】
このロータンクカバーと洋風便器上面との間に尿などの汚れが染み込んで臭気の原因となり易い。そこで、ロータンクカバーをガイド部材によって洋風便器に対し昇降装置によって上下動可能とし、洋風便器の清掃時にロータンクカバーを便座と共に上方に移動させるようにしたものが提案されている（特開平９−２８６１９号公報）。
【０００４】
このロータンクカバーを単に上下動可能とした場合、清掃中にフラッシュ動作すなわち便器洗浄水が流出し、清掃員に水がかかったり、清掃用具が水で流されたりするおそれがある。
【０００５】
そこで、本出願人は、ロータンクカバーが浮上したときには便器洗浄水の流出（フラッシュ動作）を防止するよう改良された便座上下動機能付きの便器設備を特開２０００−１０４３０７号公報にて提案している。
【０００６】
図８は手動式のフラッシュハンドルがロータンクカバー浮上時にフロート弁を引き上げないよう構成した同号公報の実施の形態を示すものであり、ハンドル１５０がロータンクカバー１５６に設けられ、ハンドルシャフト１５２がロータンクカバー１５６内に突出している。該シャフト１５２の先端は平板部１５４となっている。ロータンク１５８にはＬ字形のシャフト１６０が設けられ、該シャフト１６０の先端にフロート弁引上用のチェーン１６２が吊支されている。シャフト１６０の基端には平たい形状の溝１６４が設けられている。
【０００７】
ロータンクカバー１５６が下降限にあるときには平板部１５４が溝１６４に嵌合し、ハンドル１５０の回転がそのままシャフト１６０に伝達される。ロータンクカバー１５６が上昇（浮上）すると平板部１５４が溝１６４から離脱し、シャフト１５２とシャフト１６０とが分離される。このため、ロータンクカバー１５６が上昇した状態にあるときには、ハンドル１５０を回してもフロート弁が引き上げられず、便器洗浄水がロータンク１５８から放出されない。
【０００８】
【発明が解決しようとする課題】
上記図８の従来例にあっては、ロータンクカバー１５６が下降限まで下降したときにシャフト１５２，１６０が正確に同軸配置される必要があるため、ロータンクカバー１５６の昇降案内機構とロータンク１５８との位置合わせを正確に行う必要があり、ロータンク１５８及びロータンクカバー１５６の組み付け作業に手間がかかっていた。
【０００９】
本発明は、ロータンクカバーの浮上時の便器洗浄水放出動作を簡易な機構にて確実に阻止することができる便器設備を提供することを目的とする。
【００１０】
【課題を解決するための手段】
本発明（請求項１）の便器設備は、便器本体と、該便器本体の後部上面に設けられたロータンクと、該ロータンクを覆っている浮上可能なロータンクカバーと、該ロータンクカバーに支持された便座と、該ロータンクに設けられており、引き上げられることにより開弁して該便器本体に洗浄水を給水するフロート弁と、該ロータンクカバーに設けられた、該フロート弁を引き上げるための回転自在なフラッシュレバーとを有する便器設備において、該ロータンクカバーの浮上時に該フラッシュレバーと係合して該フラッシュレバーの回転を阻止するストッパを該ロータンクカバーに設けたことを特徴とするものである。
【００１１】
かかる本発明の便器設備にあっては、ロータンクカバーの浮上時にストッパがフラッシュレバーに係合してフラッシュレバーの回転を阻止し、これによってフロート弁の引き上げを阻止する。
【００１２】
これにより、ロータンクカバーの浮上時にロータンクから便器洗浄水が放出されることが確実に防止される。このストッパは、構成が簡易であると共に、ロータンクカバー下降時にはフラッシュレバーと係合しないものであるから、フラッシュレバーの回転には全く支障とならない。
【００１３】
本発明（請求項２）の便器設備は、便器本体と、該便器本体の後部上面に設けられたロータンクと、該ロータンクを覆っている浮上可能なロータンクカバーと、該ロータンクカバーに支持された便座と、該ロータンクに設けられており、引き上げられることにより開弁して該便器本体に洗浄水を給水するフロート弁と、該ロータンクに設けられたボールタップとを有する便器設備において、該ロータンクカバーの浮上時に該ボールタップの浮玉又はそのシャフトに係合して浮玉の下降を阻止するストッパを該ロータンクカバーに設けたことを特徴とするものである。
【００１４】
かかる便器設備にあっては、ロータンクカバーを浮上させると、ボールタップが開栓不能となる。従って、ロータンクカバーを浮上させた後、１回だけフラッシュ動作させると、その後はロータンク内が空になるため、誤ってフラッシュ動作してもロータンクから便器洗浄水が便器に供給されることはない。
【００１５】
このボールタップの浮玉下降阻止用のストッパも、構成が簡易である。また、ロータンクカバーが下降したときには、ストッパは浮玉又はそのシャフトを拘束しないので、ストッパはボールタップの動作の支障となることがない。
【００１６】
【発明の実施の形態】
以下に、図面を参照して本発明の実施の形態について説明する。
【００１７】
図１は本発明の実施の形態に係る便器設備の側面図であり、同（ａ）はロータンクカバーが下降限にある状況を示しており、同（ｂ）はロータンクカバーが上昇限にある状況を示している。また、図２及び図３はフラッシュレバーの回動阻止用のストッパの斜視図であり、図２はロータンクカバーが下降限にある状況を示しており、図３はロータンクカバーが上昇限にある状況を示している。図４は図３のIV−IV線に沿う断面図である。
【００１８】
図１に示すように、この便器設備においては、便器本体１０の後部上面にロータンク１２と衛生洗浄装置１４等の便器付属機器とが設置されており、これらを覆うようにロータンクカバー１６が設けられている。ロータンク１２の底部には、便器洗浄水放出用のフロート弁（図示略）が設けられている。また、ロータンク１２の上部には、後述する給水用のボールタップ１８（図１〜４においては図示略。図５，６参照。）が設けられている。
【００１９】
ロータンクカバー１６は、便器本体１０の後部上面に設置された昇降装置１７によって上下動（便器本体１０の後部上面から浮上、及び便器本体１０の後部上面に降下）可能となっている。なお、この実施の形態では、該ロータンクカバー１６の上部に手洗鉢２０が取り付けられている。この手洗鉢２０は、ロータンクカバー１６が上下動すると、該ロータンクカバー１６と一体に上下動する。また、この手洗鉢２０には、上記ボールタップ１８から給水管１８ａ（図５，６参照）を介して水が供給される吐水器２２が設けられている。
【００２０】
便器本体１０の後部上面からロータンクカバー１６の側面（この実施の形態では右側面）に沿ってサイド板２６が立設されている。このサイド板２６は、ロータンクカバー１６とは別体に設けられており、ロータンクカバー１６が上下動しても該ロータンクカバー１６と一緒に上下動しないようになっている。なお、図１ではサイド板２６はロータンクカバー１６の外側に配置されているように図示されているが、サイド板２６はロータンクカバー１６の内側に配置されてもよく、例えばロータンク１２の側面を構成するように該ロータンク１２と一体に設けられてもよい。
【００２１】
このサイド板２６の上部に、前記フロート弁を開弁させる（フラッシュ動作させる）フラッシュ装置２８が設けられている。このフラッシュ装置２８は、該サイド板２６を貫通してロータンク１２の上方に突出したフラッシュレバー３０と、該サイド板２６の上部の外面に配置されており、フラッシュレバー３０と一体に回転自在なレバーハンドル３２とを有している。該フラッシュレバー３０は、ロータンクカバー１６の左右幅方向且つ略水平方向に延在している。
【００２２】
図２，３に示すように、該フラッシュレバー３０の長手方向の先端側は略Ｌ字形に折れ曲がった折曲部３０ａとなっており、この折曲部３０ａの先端とフロート弁（図示略）とが鎖３４によって連結されている。また、該フラッシュレバー３０の長手方向の途中部分には後述のストッパ４２の段部５６ａ，５６ｂ，５６ｃとそれぞれ係合可能な突片３６ａ，３６ｂ，３６ｃが突設されている。該突片３６ａ，３６ｂ，３６ｃは、折曲部３０ａが下向きに延在した姿勢となっているときに該フラッシュレバー３０の側周面から下方及び前後水平方向にそれぞれ突出するよう配置されている。
【００２３】
この便器設備においては、フロート弁が閉弁状態にあるときには、フラッシュレバー３０は折曲部３０ａが真下に垂れ下がった姿勢となっている。ロータンク１２内の便器洗浄水の使用に際し、レバーハンドル３２が回転操作されると、フラッシュレバー３０が軸心回りに回動して折曲部３０ａが上方に回動し、これによって鎖３４を介してフロート弁が引き上げられる。これにより、フロート弁が開弁され、ロータンク１２内の便器洗浄水が便器本体１０に放出される。
【００２４】
ところで、便器洗浄水がロータンク１２から放出され、該ロータンク１２内の水位が下がると、前記ボールタップ１８の浮玉３８（図１〜４においては図示略。図５，６参照）が降下し、該ボールタップ１８が開栓される。これにより、ロータンク１２内に新たな便器洗浄水が供給され、ロータンク１２から繰り返し便器洗浄水を放出することが可能となる。
【００２５】
この実施の形態では、図２，３に示すように、ロータンクカバー１６が便器本体１０の後部上面から浮上したときにフラッシュレバー３０の回動を阻止するためのストッパ４２が該ロータンクカバー１６の背板部１６ｂに取り付けられている。このストッパ４２は、該背板部１６ｂからロータンク１２の上側に延出した延出部４４と、該延出部４４の先端側から下方に垂下した垂下部４６と、該延出部４４の基端側から該背板部１６ｂに沿うように左右に延出した１対の鍔状部４８，４８とを有している。
【００２６】
該垂下部４６に、フラッシュレバー３０の前記突片３６ａ〜３６ｃを有する部分が挿通された溝孔５４が設けられている。この溝孔５４は上下方向に長く延在しており、フラッシュレバー３０はこの溝孔５４内を上下方向に相対移動可能となっている。該溝孔５４の下端側の縁部には、図３，４に示すように、フラッシュレバー３０が折曲部３０ａを真下に向けた姿勢となっているときに各突片３６ａ，３６ｂ，３６ｃがそれぞれ係合可能な凹段部５６ａ並びに１対の水平段部５６ｂ，５６ｃが設けられている。なお、垂下部４６の前縁の上部にはフラッシュレバー３０を該溝孔５４内に引き入れるための切欠部５８が設けられている。
【００２７】
このストッパ４２は、該鍔状部４８，４８が背板部１６ｂに設けられたスロット状のストッパ係合部５０に差し込まれ、ロータンクカバー１６が浮上し切ったときに該溝孔５４の下端側の縁部がフラッシュレバー３０に当接する位置関係に配置された後、該ストッパ係合部５０にビス５２が締め込まれることにより該背板部１６ｂに留め付けられている。フラッシュレバー３０は、このストッパ４２の組み付けに際し、該切欠部５８を介して溝孔５４内に引き通される。
【００２８】
このように構成された便器設備においては、ロータンクカバー１６が浮上し、フラッシュレバー３０に溝孔５４の下端側の縁部が当接すると、フラッシュレバー３０の側周面から突出した突片３６ａ，３６ｂ，３６ｃがそれぞれストッパ４２の溝孔５４内の対応する段部５６ａ，５６ｂ，５６ｃに係合し、これによって該フラッシュレバー３０の回動が阻止される。これにより、フロート弁の開弁が阻止され、ロータンクカバー１６が浮上した状態においてロータンク１２から便器洗浄水が放出されることが確実に防止される。
【００２９】
なお、このストッパ４２は構成が簡易であり、組み付けも容易である。また、ロータンクカバー１６が降下した状態においては、このストッパ４２はフラッシュレバー３０の回動の支障には全くならない。
【００３０】
図５，６は、本発明の別の実施の形態に係るストッパの斜視図であり、図５はロータンクカバーが下降限にある状況を示しており、図６はロータンクカバーが上昇限にある状況を示している。
【００３１】
この実施の形態では、ロータンクカバー１６Ａが浮上したときにボールタップ１８の浮玉３８の下降を阻止するためのストッパ４２Ａが該ロータンクカバー１６Ａの背板部１６ｂ’に取り付けられている。
【００３２】
このストッパ４２Ａは、該背板部１６ｂ’からロータンク１２の上側に延出した延出部４４Ａと、該延出部４４Ａの先端側から下方に垂下した垂下部４６Ａと、該延出部４４Ａの基端側から該背板部１６ｂ’に沿うように左右に延出した１対の鍔状部４８Ａ，４８Ａとを有している。
【００３３】
該垂下部４６Ａには上下方向に長く延在した溝孔５４Ａが設けられており、この溝孔５４Ａに浮玉３８のシャフト３８ａが挿通されている。また、該垂下部４６Ａの前縁の上部にはシャフト３８ａを該溝孔５４Ａ内に引き込むための切欠部５８Ａが設けられている。この溝孔５４Ａは、ロータンクカバー１６Ａが下降限にあるときにはシャフト３８ａがその内部を上下動することを許容すると共に、ロータンクカバー１６Ａが浮上するとその下端部がシャフト３８ａの下側に当接して該シャフト３８ａが降下することを阻止するよう構成されている。
【００３４】
このストッパ４２Ａは、該鍔状部４８Ａ，４８Ａが背板部１６ｂ’に設けられたスロット状のストッパ係合部５０Ａに差し込まれ、該ストッパ係合部５０Ａにビス５２が締め込まれることにより該背板部１６ｂ’に留め付けられている。浮玉３８のシャフト３８ａは、このストッパ４２Ａの組付けに際し、切欠部５８Ａを介して溝孔５４Ａ内に引き通される。
【００３５】
この便器設備のその他の構成は前記実施の形態の便器設備と同一であり、図５，６において図１〜４と同一部分に同一符号を付すことにより説明を省略する。
【００３６】
このように構成された便器設備にあっては、ロータンクカバー１６Ａを浮上させると、ストッパ４２Ａによって浮玉３８の下降が阻止され、これによってボールタップ１８が開栓不能となる。従って、ロータンクカバー１６Ａを浮上させた後、１回だけフラッシュ装置２８（図５，６においては図示略。図１〜４参照。）を操作してフラッシュ動作させると、その後はロータンク１２内が空になるため、誤ってフラッシュ動作してもロータンク１２から便器洗浄水が便器に供給されることはない。
【００３７】
この実施の形態のストッパ４２Ａも、構成が簡易であり、ロータンクカバー１６Ａへの組み付けも容易である。また、ロータンクカバー１６Ａが下降したときには、ストッパ４２Ａは浮玉３８のシャフト３８ａの動きを拘束しないので、ストッパ４２Ａはボールタップ１８の動作の支障となることがない。
【００３８】
なお、この実施の形態では、ストッパ４２Ａはロータンクカバー１６Ａが浮上すると浮玉３８のシャフト３８ａの下降を拘束するように構成しているが、浮玉３８自体の下降を拘束するように構成してもよい。また、この実施の形態では、ロータンクカバー１６Ａの背板部１６ｂ’にストッパ４２Ａを取り付けた構成となっているが、図７のストッパ４２Ｂのように、ロータンクカバーの上部、又は該上部に設置された手洗鉢の下部にストッパを取り付けてもよい。以下に、この図７の便器設備について説明する。なお、図７はさらに別の実施の形態に係る便器設備の側面図である。
【００３９】
図７の便器設備においては、ロータンクカバー１６Ｂの上部に設置された手洗鉢２０Ａの下部にボールタップ１８（図７では図示略。図５，６参照。）の浮玉３８を拘束するためのストッパ４２Ｂが取り付けられている。このストッパ４２Ｂは上下方向に延在した長手状部材であり、前述のストッパ４２Ａの溝孔５４Ａと同一の働きをする上下方向に長い溝孔５４Ｂを有している。この溝孔５４Ｂ内に浮玉３８のシャフト３８ａが挿通されている。
【００４０】
なお、このストッパ４２Ｂの前縁の上部には該溝孔５８Ｂに通じる切欠部５８Ｂが設けられており、該ストッパ４２Ｂの組み付けに際しては、この切欠部５８Ｂを介して該シャフト３８ａを溝孔５４Ｂ内に引き入れる。
【００４１】
この便器設備のその他の構成は、前述の図１〜４及び図５，６に示した各実施の形態の便器設備と同様であり、図７において図１〜４及び図５，６と同一の部分に同一の符号を付すことによりその説明を省略する。なお、図７の符号２２Ａは手洗鉢２０Ａへの吐水器であり、図１の吐水器２２と同様のものである。
【００４２】
このように構成した場合にも、ロータンクカバー１６Ｂが浮上するとストッパ４２Ｂによって浮玉３８の下降が阻止され、これにより、ロータンク１２から便器洗浄水が繰り返し誤って放出されることが確実に防止される。また、このストッパ４２Ｂも構成が簡易であり、組み付けも容易である。
【００４３】
なお、図示はしないが、このようにロータンクカバーの上部の手洗鉢の下部にストッパを取り付ける構成は、ボールタップの浮玉拘束用のストッパだけでなく、フラッシュレバーの回動阻止用のストッパにも同様に適用できる。
【００４４】
上記の各実施の形態はいずれも本発明の一例を示すものであり、本発明はこれらに限定されるものではない。
【００４５】
【発明の効果】
以上詳述した通り、本発明によると、ロータンクカバーの浮上時の便器洗浄水放出動作を簡易な機構にて確実に阻止することができる便器設備が提供される。
【図面の簡単な説明】
【図１】本発明の実施の形態に係る便器設備の側面図である。
【図２】実施の形態に係るストッパの斜視図である。
【図３】実施の形態に係るストッパの斜視図である。
【図４】図３のIV−IV線に沿う断面図である。
【図５】別の実施の形態に係るストッパの斜視図である。
【図６】別の実施の形態に係るストッパの斜視図である。
【図７】さらに別の実施の形態に係る便器設備の側面図である。
【図８】従来例に係る便器設備のフラッシュレバーの斜視図である。
【符号の説明】
１０  便器本体
１２  ロータンク
１６  ロータンクカバー
１８  ボールタップ
２０，２０Ａ  手洗鉢
２８  フラッシュ装置
３０  フラッシュレバー
３２  レバーハンドル
３６ａ，３６ｂ，３６ｃ  突片
３８  浮玉
３８ａ  シャフト
４２，４２Ａ，４２Ｂ  ストッパ
５４，５４Ａ，５４Ｂ  溝孔
５６ａ，５６ｂ，５６ｃ  段部
【図１】
0003896831.tif 000002
【図２】
0003896831.tif 000003
【図３】
0003896831.tif 000004
【図４】
0003896831.tif 000005
【図５】
0003896831.tif 000006
【図６】
0003896831.tif 000007
【図７】
0003896831.tif 000008
【図８】
0003896831.tif 000009